(57)【要約】【課題】ＰＥＴ検診の需要の増大に伴い増大が予想されるＰＥＴ施設における医療従事者の被曝線量を低減する。【解決手段】被検者と医療従事者との接近を避けるために、被検者の動線と医療従事者の動線を分離する。具体的には、医療従事者が常時滞在する操作室・読影室１と隣接するＰＥＴカメラ室２の操作室・読影室と反対側に被検者用の通路３を配置する。また、操作室・読影室と処置室６の間に医療従事者用の通路を確保する。安静室４、回復室５と医療従事者が常時滞在するホットラボ１０、操作室・読影室１の間にＰＥＴカメラ室２及び被検者用通路３を配置し、安静室４、回復室５とホットラボ１０との距離を離す。【選択図】　図１
2004108996.tif 000002
【特許請求の範囲】
【請求項１】
被検者の体内に放射性薬剤を投与して、ＰＥＴカメラを用いて放射性薬剤の体内分布を撮影するＰＥＴ施設において、
このＰＥＴ施設は、
前記被検者の動線と医療従事者の動線を分離し、
かつ、前記放射性薬剤投与後の被検者が待機する待機場所を、前記放射性薬剤を取り扱うホットラボから少なくとも前記ＰＥＴカメラを設置したＰＥＴカメラ室の一辺に相当する距離以上離した構成を備えること、
を特徴とするＰＥＴ施設。
【請求項２】
被検者の体内に放射性薬剤を投与して、ＰＥＴカメラを用いて放射性薬剤の体内分布を撮影するＰＥＴ施設において、
このＰＥＴ施設は、
前記被検者の動線と医療従事者の動線を分離し、
かつ、前記放射性薬剤投与後の被検者が待機する待機場所を、前記放射性薬剤を取り扱うホットラボとは別の階に配置した構成を備えること、
を特徴とするＰＥＴ施設。
【請求項３】
被検者の体内に放射性薬剤を投与して、ＰＥＴカメラを用いて放射性薬剤の体内分布を撮影するＰＥＴ施設において、
このＰＥＴ施設は、前記放射性薬剤投与後の被検者が待機する待機場所、前記被検者が利用する被検者用通路、前記ＰＥＴカメラを設置した複数のＰＥＴカメラ室、医療従事者が常時滞在する操作室・読影室、前記放射性薬剤を取り扱うホットラボを備えると共に、
前記待機場所と前記ホットラボの間に、少なくとも前記ＰＥＴカメラ室を配置した構成を備えること、
を特徴とするＰＥＴ施設。
【請求項４】
被検者の体内に放射性薬剤を投与して、ＰＥＴカメラを用いて放射性薬剤の体内分布を撮影するＰＥＴ施設において、
このＰＥＴ施設は、前記放射性薬剤投与後の被検者が待機する待機場所、前記被検者が利用する被検者用通路、前記ＰＥＴカメラを設置した複数のＰＥＴカメラ室、医療従事者が常時滞在する操作室・読影室、前記放射性薬剤を取り扱うホットラボを備えると共に、
前記待機場所と前記ホットラボを異なる階に配置した構成を備えること、
を特徴とするＰＥＴ施設。
【請求項５】
被検者の体内に放射性薬剤を投与して、ＰＥＴカメラを用いて放射性薬剤の体内分布を撮影するＰＥＴ施設において、
このＰＥＴ施設は、医療従事者が常時滞在する操作室・読影室、前記被検者に前記放射性薬剤を投与する処置室、前記操作室・読影室と前記処置室を結ぶ医療従事者用の通路を備えると共に、
前記放射性薬剤投与後の被検者が待機する待機場所と前記放射性薬剤を取り扱うホットラボの間に、少なくとも前記ＰＥＴカメラを設置したＰＥＴカメラ室を配置した構成を備えること、
を特徴とするＰＥＴ施設。
【請求項６】
被検者の体内に放射性薬剤を投与して、ＰＥＴカメラを用いて放射性薬剤の体内分布を撮影するＰＥＴ施設において、
このＰＥＴ施設は、医療従事者が常時滞在する操作室・読影室、前記被検者に前記放射性薬剤を投与する処置室、前記操作室・読影室と前記処置室を結ぶ医療従事者用の通路を備えると共に、
前記放射性薬剤投与後の被検者が待機する待機場所を、前記放射性薬剤を取り扱うホットラボとは別の階に配置した構成を備えること、
を特徴とするＰＥＴ施設。
【請求項７】
被検者の体内に放射性薬剤を投与して、ＰＥＴカメラを用いて放射性薬剤の体内分布を撮影するＰＥＴ施設において、
このＰＥＴ施設は、前記放射性薬剤投与後の被検者が待機する待機場所と医療従事者が常時滞在する操作室・読影室の間に前記ＰＥＴカメラを設置したＰＥＴカメラ室及び前記被検者が利用する被検者用通路を配置し、
かつ、前記待機場所と前記放射性薬剤を取り扱うホットラボの間に、少なくとも前記ＰＥＴカメラ室を配置する構成を備えること、
を特徴とするＰＥＴ施設。
【請求項８】
被検者の体内に放射性薬剤を投与して、ＰＥＴカメラを用いて放射性薬剤の体内分布を撮影するＰＥＴ施設において、
このＰＥＴ施設は、前記放射性薬剤投与後の被検者が待機する待機場所と医療従事者が常時滞在する操作室・読影室の間に前記ＰＥＴカメラを設置したＰＥＴカメラ室及び前記被検者が利用する被検者用通路を配置し、
かつ、前記待機場所を、前記放射性薬剤を取り扱うホットラボとは別の階に配置した構成を備えること、
を特徴とするＰＥＴ施設。
【請求項９】
被検者の体内に放射性薬剤を投与して、ＰＥＴカメラを用いて放射性薬剤の体内分布を撮影するＰＥＴ施設において、
前記放射性薬剤投与後の被検者が待機する待機場所と医療従事者が常時滞在する操作室・読影室の間に、前記ＰＥＴカメラを設置したＰＥＴカメラ室及び前記被検者が利用する被検者用通路を配置し、
かつ、前記操作室・読影室と前記被検者に前記放射性薬剤を投与する処置室とを隣接して配置し、
かつ、前記待機場所と前記放射性薬剤を取り扱うホットラボの間に、少なくとも前記ＰＥＴカメラ室を配置した構成を備えること、
を特徴とするＰＥＴ施設。
【請求項１０】
被検者の体内に放射性薬剤を投与して、ＰＥＴカメラを用いて放射性薬剤の体内分布を撮影するＰＥＴ施設において、
前記放射性薬剤投与後の被検者が待機する待機場所と医療従事者が常時滞在する操作室・読影室の間に前記ＰＥＴカメラを設置したＰＥＴカメラ室及び前記被検者が利用する被検者用通路を配置し、
かつ、前記操作室・読影室と前記被検者に前記放射性薬剤を投与する処置室とを隣接して配置し、
かつ、前記待機場所と前記放射性薬剤を取り扱うホットラボの間に、少なくとも前記ＰＥＴカメラ室或いはＰＥＴカメラ室と操作室・読影室を配置するか、安静室、回復室を別の階に配置した構成を備えること、
を特徴とするＰＥＴ施設
【請求項１１】
前記ホットラボと前記処置室を、前記放射性薬剤を搬送する放射性薬剤搬送装置により結合した構成を備えること、
を特徴とする請求項１乃至請求項１０のいずれか１項に記載のＰＥＴ施設。
【請求項１２】
複数階にわたる前記医療従事者の作業場所を連結するために、前記医療従事者専用の階段を設置した構成を備えること、
を特徴とする請求項２、請求項４、請求項６、請求項８又は請求項１０に記載のＰＥＴ施設。
【請求項１３】
前記被検者が利用するトイレを、前記待機室又は前記ＰＥＴカメラ室の少なくとも一方に隣接して設置した構成を備えること、
を特徴とする請求項１乃至請求項１２のいずれか１項に記載のＰＥＴ施設。
【請求項１４】
前記ＰＥＴ施設が、前記被検者用通路と前記操作室・読影室の間に複数のＰＥＴカメラ室を、前記被検者用通路と前記操作室・読影室に沿って備える場合に、前記操作室・読影室と前記被検者用通路とを結ぶ通路を、前記複数のＰＥＴカメラ室の間に少なくとも一つ設けた構成を備えること、
を特徴とする請求項１乃至請求項１３のいずれか１項に記載のＰＥＴ施設。
【請求項１５】
線源の位置及び強度に応じて、前記医療従事者の滞在場所にガンマ線遮蔽衝立を設置したこと、
を特徴とする請求項１乃至請求項１４のいずれか１項に記載のＰＥＴ施設。
【請求項１６】
前記待機場所にモニタカメラ及びスピーカを設置し、前記操作室・読影室に前記モニタカメラの画面及び放送設備を設置したこと、
を特徴とする請求項１乃至請求項１５のいずれか１項に記載のＰＥＴ施設。
【請求項１７】
前記被検者に動線を案内する表示を備えたことを特徴とする請求項１乃至請求項１６のいずれか１項に記載のＰＥＴ施設。
【請求項１８】
前記待機場所が前記放射性薬剤投与後の被検者が待機する安静室及びＰＥＴカメラ撮影後の被検者が待機する回復室である場合に、
前記安静室のベッド又はソファ、ＰＥＴカメラ室及び回復室のソファ又はベッドに識別表示を設けたことを特徴とする請求項１乃至請求項１７のいずれか１項に記載のＰＥＴ施設。
【発明の詳細な説明】
【０００１】
【発明の属する技術分野】
本発明は、エミッションＣＴ、即ちＳＰＥＣＴ（Ｓｉｎｇｌｅ　Ｐｈｏｔｏｎ　Ｅｍｉｓｓｉｏｎ　Ｃｏｍｐｕｔｅｄ　Ｔｏｍｏｇｒａｐｈｙ）、ＰＥＴ（Ｐｏｓｉｔｒｏｎ　Ｅｍｉｓｓｉｏｎ　Ｔｏｍｏｇｒａｐｈｙ）等を運用する医療施設（本明細書において「ＰＥＴ施設」という）に関し、殊に医療従事者の被曝線量を低減するためのＰＥＴ施設に関する発明である。
【０００２】
【従来の技術】
放射性核種をトレーサとして、その体内分布を断層撮影することで、動態機能検査、体内細胞の代謝量を観ることができるＰＥＴ検診により、がんの早期発見の確率は格段に高まる。がん診断を行う１８Ｆ−ＦＤＧ（Ｆｌｕｏｒｏ　Ｄｅｏｘｙ　Ｇｌｕｃｏｓｅ）検査にも保険が適用され、今後ＰＥＴ検診の需要は飛躍的に増大すると予想されている。
【０００３】
ＰＥＴ検診は、放射線管理区域内において、次のように行われる。即ち、まず処置室にて被検者に１８Ｆ等の放射性核種を含む放射性薬剤を投与し、放射性薬剤の体内分布の定常化のため５０分程度被検者を安静室にて安静にして待機させ、トイレにて排尿させ、ＰＥＴカメラのある撮影室にて撮影を行う。撮影後、投与した放射性核種の減衰を待つため、被検者を６０分程度回復室にて待機させ、その後放射線管理区域から退出させる。
【０００４】
この間、放射性薬剤を投与された被検者が、放射線管理区域内を大きく移動する。つまり、ＰＥＴ施設では、Ｘ線ＣＴ等の他の放射線施設とは異なり、線源となるのは被検者であり、検診の間、被検者が放射線管理区域内を大きく移動する。
【０００５】
放射性薬剤を投与された直後の被検者の体表面における線量率はおよそ数百μＳｖ／ｈとなる。医療従事者が被検者の近傍に長時間滞在して毎日医療業務に従事した場合、放射線障害防止法に定められた年間の線量限度（最大年間５０ｍＳｖ）を超える畏れがある。
【０００６】
そこで、医療従事者の被曝線量を低減するためには、被検者と医療従事者との接近を避ける必要がある。このため、放射線の管理区域への出入り口以外は受診者導線（被検者動線）と職員導線（医療従事者動線）を完璧に分けて設計されたＰＥＴ施設が知られている（例えば非特許文献１参照）。
【０００７】
【非特許文献１】
「月間新医療」、２００２年３月号、エムイー振興協会、阿部信彦、第９４頁、中段
【０００８】
【発明が解決しようとする課題】
ところで、ＰＥＴ検診の需要の増大に伴い、ＰＥＴ施設における医療従事者（医師、放射線技師、看護師等）の被曝線量低減が重要な課題となるが、放射性薬剤投与後の被検者が安静待機する安静室、ＰＥＴカメラ撮影後の被検者が待機する回復室は複数の被検者が長時間滞在するため、局地的に線源強度が上昇する。このため、安静室や回復室に待機（滞在）する被検者による医療従事者の被曝線量を低減することが望まれる。また、従来の施設では、被検者数が少ないこともあり、被検者に投与する放射性薬剤の合成、分注が行われるホットラボから安静室、回復室を離して配置されていない。このため、ホットラボにおける医療従事者の被曝線量を低減することが望まれる。この被曝線量の低減に際しては、被検者及び医療従事者双方の円滑な動線を確保することが望まれる。
【０００９】
そこで、本発明は、ＰＥＴ検診の需要の増大に際しても、被検者及び医療従事者双方の円滑な動線が確保され、かつ医療従事者の被曝線量が低減されるＰＥＴ施設を提供することを主たる目的とする。
【００１０】
【課題を解決するための手段】
医療従事者の被曝線量を低減するため、かつ双方の円滑な動線を確保するため、放射性薬剤投与後の被検者と医療従事者との接近を避け、かつ被検者の動線と医療従事者の動線を分離する（動線が交錯しないようにする）。また、被検者が待機する待機場所（安静室、回復室）と放射性薬剤の合成・分注が行われるホットラボの間に少なくともＰＥＴカメラ室或いはＰＥＴカメラ室と操作室・読影室を配置し、ホットラボで作業する医療従事者の被曝を低減する。なお、より具体的な解決手段は、以下の実施形態の説明で明らかにする。
【００１１】
【発明の実施の形態】
以下、本発明のＰＥＴ施設の実施形態を、７つの実施形態（第１実施形態〜第７実施形態）にわけ、図面を参照して詳細に説明する。なお、第１実施形態のＰＥＴ施設は平屋構造（１フロア）であり、第２実施形態のＰＥＴ施設は複数階構造（２フロア）である。
【００１２】
≪第１実施形態≫
まず、第１実施形態のＰＥＴ施設を説明する。
図１は、第１実施形態に係るＰＥＴ施設を示す図であり、ＰＥＴカメラを３台設置した平屋構造のＰＥＴ施設の建屋レイアウトを例示する。
【００１３】
図１に示される第１実施形態のＰＥＴ施設Ａは、放射性薬剤を取り扱うホットラボ１０、これに隣接して医療従事者が常時滞在する操作室・読影室１、これに隣接してＰＥＴカメラ２１を設置したＰＥＴカメラ室２、これに隣接して被検者用通路３、これに隣接して放射性剤投与後の被検者が待機する安静室４及びＰＥＴカメラ撮影後の被検者が待機する回復室５を、右側から左側（図１を基準）に向けて配置した構成（レイアウト）をしている。安静室４及び回復室５は、放射性薬剤投与後の被検者が待機する待機場所に相当する。
【００１４】
より具体的には、第１実施形態のＰＥＴ施設Ａは、図１に示すように放射線の管理区域と非管理区域（ハッチング部分）とに分けられている。このうち、管理区域は、左側（左端）に特別室１８、安静室４、回復室５、被検者用トイレ７及び被検者用更衣室８の計５室が縦列に、その右隣に被検者用通路３が、その右隣にカメラ室２及び処置室６の計４室が縦列に、その右隣に操作室・読影室１が、その右隣にホットラボ１０、放射性薬剤検定室１１及び血液検査室１２の計３室が縦列に、更にその右隣（右端）にサイクロトロン室１３及び電源機械室１４の計２室が縦列に、それぞれ配置された構成をしている。なお、被検者用トイレ７は、安静室４（待機場所）に隣接して設けられた構成になっている。また、ホットラボ１０には、図示しない合成装置、自動分注装置等が備えられ、放射性薬剤の合成・分注等、放射性薬剤を集中的に取り扱うようになっている。また、サイクロトロン室１３には、１８Ｆ等の核種製造のためのサイクロトロン（加速器）２３が供えられている。
【００１５】
つまり、第１実施形態のＰＥＴ施設Ａの管理区域は、図１の左側から右側にかけて、被検者用の待機スペース、→被検者用の通路、→被検者・医療従事者用の共用部分、→医療従事者用の作業スペース兼通路、→医療従事者用の作業スペース、→機器設置スペース、を順に配置した構成になっている。なお、符号１５は管理区域内にある空調廃水処理室、放射線管理区域内にある符号ＷＣは医療従事者用トイレである。また、符号１７はＲＩ保管室である。
【００１６】
また、図１に示されるように、ホットラボ１０は、安静室４及び回復室５から、少なくともＰＥＴカメラ室２の一辺に相当する距離以上離してある。また、各カメラ室２及び処置室６には、操作室・読影室１の側に医療従事者の出入口が、被検者用通路３の側に被検者用の出入口がそれぞれ設けられて、各カメラ室２へのアクセスを容易にすると共に、動線の交錯を防止している（被検者の動線と医療従事者の動線を分離）。
【００１７】
つまり、第１実施形態のＰＥＴ施設Ａは、被検者の動線と医療従事者の動線が交錯しないように分離し、かつ、安静室４及び回復室５（待機場所）を、ホットラボ１０から少なくともＰＥＴカメラ室２の一辺に相当する距離以上離した構成をしている。
【００１８】
また、第１実施形態のＰＥＴ施設Ａは、安静室４及び回復室５、被検者用通路３、複数のＰＥＴカメラ室２、医療従事者が常時滞在する操作室・読影室１、ホットラボ１０を備えると共に、安静室４及び回復室５とホットラボ１０の間に、少なくともＰＥＴカメラ室２を配置した構成でもある。
【００１９】
さらに、第１実施形態のＰＥＴ施設Ａは、安静室４及び回復室５と操作室・読影室１との間に、ＰＥＴカメラ室２及び被検者用通路３を配置し、かつ、操作室・読影室１と処置室６とを隣接して配置し、かつ、待機場所（安静室４及び回復室５）とホットラボ１０の間に、少なくともＰＥＴカメラ室２を配置した構成でもある。
【００２０】
次に、この第１実施形態のＰＥＴ施設Ａの動作を説明する。
被検者は、入口８１からＰＥＴ施設Ａに入り、受付８２にて登録した後に問診待合室８３にて問診を待つ。問診室８４にて医師による問診を受けた被検者は、管理区域に入域し、被検者用更衣室８にて検査着に着替える。なお、被検者の着替えを行わない場合もある。
【００２１】
着替えた被検者は、処置室６にて放射性核種（例えば前記した１８Ｆ）を含む放射性薬剤を投与（経口投与・経気道投与・皮下投与）された後、被検者用通路３を通り、安静室４に移動する。そして、この安静室４にて放射性薬剤の体内分布の定常化を図るため、５０分程度待機する。被検者は、待機後撮影前に被検者用トイレ７にて排尿し、被検者用通路３を通りＰＥＴカメラ室２に移動して検査を受ける。つまり、被検者は、３つあるＰＥＴカメラ室２（ＰＥＴカメラ２１）のうち、予め定められたいずれか１つのＰＥＴカメラ室２で写真を撮影される。
【００２２】
撮影後、被検者は被検者用通路３を通り、回復室５に移動する。この回復室５で、投与された放射性核種の減衰を待つため、６０分程度待機する。なお、投与された核種の半減期等によっては、回復室５における待機を行わない場合もある。ちなみに、１８Ｆの半減期は約１１０分である。
【００２３】
被検者は、回復室５で待機した後、被検者用通路３を通り、被検者用更衣室８にて元の服に着替えた後、汚染検査室９を通って管理区域から退出する。以上が被検者の動線である。
【００２４】
一方、図１から容易に理解されるように、医療従事者（医師、放射線技師…）は被検者の介護等の非定常作業を除いて、被検者用通路３を通ることなく、また、安静室４に立ち入ることなく、被検者への問診（医師）、放射性薬剤投与、ＰＥＴカメラ撮影（放射線技師）を実施することができる。即ち、上記のレイアウトにすることにより、被検者の動線と医療従事者の動線を分離し、医療従事者の被曝線量を低減することが可能となる。
【００２５】
なお、医療従事者は、ＰＥＴカメラ室２では、ＰＥＴカメラ２１のベッドに被検者を寝かせる指示等を行う。また、操作室・読影室１では、コンソール２２を用いてのＰＥＴカメラ２１の操作や、ＰＥＴカメラ２１の撮影結果の読影等を行う。また、ホットラボ１０では、被検者に投与する放射性薬剤の合成、分注等を行う。また、放射性薬剤検定室１１では、合成した放射性薬剤の検定等を行う。また、サイクロトロン室１３では、サイクロトロン２３を使って１８Ｆ等の核種の製造を行う。
【００２６】
ところで、放射性薬剤投与後の被検者を待機させる安静室４及び検査（撮影）後の被検者を待機させる回復室５では、ＰＥＴカメラの台数や稼働率に比例して収容人員が増加し、安静室４及び回復室５における線源強度が増大することになる。この線源強度の増大は、医療従事者の被曝線量の増大に繋がる。
【００２７】
しかし、本実施形態のＰＥＴ施設Ａでは、図１に示すように、安静室４及び回復室５と、医療従事者が常時滞在する操作室・読影室１やホットラボ１０の間にＰＥＴカメラ室２及び被検者用通路３を配置し、これにより、安静室４及び回復室５と操作室・読影室１やホットラボ１０との距離を離すレイアウトを採用している。つまり、操作室・読影室１やホットラボ１０は、安静室４や回復室５から、少なくともＰＥＴカメラ室２の一辺に相当する距離以上離した構成をしている。このため、操作室・読影室１やホットラボ１０で作業する医療従事者の、被検者からの被曝線量を低減することができる。殊に、ホットラボ１０は、安静室４や回復室５から、さらに操作室・読影室１の短辺分の距離以上離している。このため、ホットラボ１０で作業する医療従事者の、被検者からの被曝線量をより低減することができる。
【００２８】
つまり、このようなレイアウト（配置構造）を採用することにより、局所的に線源強度が増大する被検者待機場所（安静室４・回復室５）と医療従事者作業場所（操作室・読影室１、ホットラボ１０、放射性薬剤検定室１１、血液検査室１２）との遠隔化を図ることができ、医療従事者の被曝線量を低減することが可能となる。
【００２９】
また、このようなレイアウトを採用することにより、被検者及び医療従事者双方の動線が交錯することがないので、被検者及び医療従事者双方の円滑な動線が確保され、医療従事者の作業性が向上すると共に医療従事者の被曝線量が低減される。
【００３０】
また、本実施形態のＰＥＴ施設Ａでは、図１に示すように、医療従事者が常時滞在する操作室・読影室１と被検者に放射性薬剤を投与する処置室６が隣接している。このため、医療従事者（医師）の動線を短縮することができ、医療従事者の負担を軽減して、効率のよいＰＥＴ施設Ａの運用が可能となる。
【００３１】
また、また、ホットラボ１０に対してＰＥＴカメラ室２及び処置室６を並列的に配置したので、ＰＥＴカメラ室２を直列的に配置したのとは異なり、ホットラボ１０とＰＥＴカメラ室２を概ね等距離とすることができる。このため、どのＰＥＴカメラ室２へも同様にアクセスすることができる。
【００３２】
また、このようなレイアウトを採用することにより、被曝線量の許容限度を達成するための遮蔽体の厚さを薄くすることが可能であるため、ＰＥＴ施設建設のコストを低減することも可能になる。
【００３３】
≪第２実施形態≫
次に、第２実施形態のＰＥＴ施設を説明する。
図２〜図４は、第２実施形態に係るＰＥＴ施設を示す図であり、建屋面積や敷地面積を削減するために、複数階構造としたＰＥＴ施設の建屋のレイアウトを例示する。このうち、図２はサイクロトロン等重量物が配置される下層階の平面図、図３はＰＥＴカメラが設置される上層階の平面図である。図４は、（ａ）が図２に対応した鳥瞰図であり、（ｂ）が図３に対応した鳥瞰図である。なお、第１実施形態と共通する部分については、同じ符号を付してその説明を省略することとする。
【００３４】
図２に示すように、第２実施形態のＰＥＴ施設Ｂの下層階（以後１階として説明する）の管理区域には、ホットラボ１０、放射性薬剤検定室１１、サイクロトロン室１３等が配置された構成をしている。ホットラボ１０には、真上の２階に位置する処置室６に繋がる放射性薬剤運搬用エレベータ２４が備えられている。また、ホットラボ１０の出入口の向かいには、１階と２階を繋ぐ医療従事者用階段２７が位置しており、２階へのアクセスが容易になっている。また、サイクロトロン室１３には、重量物であるサイクロトロン２３が備えられている。
【００３５】
そして、１階の非管理区域には、入口８１、受付８２、１階と２階を繋ぐ階段８５、１階と２階を繋ぐエレベータ８６等が配置された構成をしている。
【００３６】
一方、２階には、図３を基準にして、左手に非管理区域が、中央から右手に管理区域が配置されている。２階の左右方向の中央部分には被検者用通路３、安静室４、回復室５を兼ねた待機スペース３０が配置されている。また、待機スペース３０の右隣には、ＰＥＴカメラ２１をそれぞれ１台ずつ備えたＰＥＴカメラ室２が縦に（奥から手前にかけて）３部屋配置されている。また、３つ縦に並んだカメラ室２の右隣には縦長の操作室・読影室１が配置されている。また、待機スペース３０の奥には処置室６が、その左隣には、通路を挟んで放射性薬剤検査室１２が配置されている。さらに、待機スペース３０の手前には被検者用トイレ７が配置されている。この被検者用トイレ７は、待機スペース３０及びＰＥＴカメラ室２に隣接して設置されたトイレに該当する。
【００３７】
また、２階には、操作室・読影室１の奥から医療従事者用階段２７に繋がる左右方向の通路、即ち医療従事者用通路９１が配置されている。この医療従事者用通路９１は、奥側のＰＥＴカメラ室２、処置室６、放射性薬剤検査室１２に隣接して配置され、操作室・読影室１から処置室６、放射性薬剤検定室１２、１階のホットラボ１０へのアクセス通路等としての役割を有する。
【００３８】
ちなみに、図３に示されるように、各カメラ室２には、操作室・読影室１の側に医療従事者用の出入口が、被検者用通路３等を兼ねる待機スペース３０の側に被検者用の出入口がそれぞれ設けられて、各カメラ室２へのアクセスを容易にすると共に、被検者と医療従事者との動線の交錯を防止している。
【００３９】
処置室６についても同様であり、処置室６には、医療従事者用通路９１の側に医療従事者用の出入口が、被検者用通路３等を兼ねるスペース３０の側に被検者用の出入口が設けられて、処置室６へのアクセスを容易にすると共に、被検者と医療従事者との動線の交錯を防止している。また、処置室６には、既に説明した放射性薬剤運搬用エレベータ２４が備えられており、１階にあるホットラボ１０から放射性薬剤を、人手による運搬によらずとも得ることができるようになっている。
【００４０】
また、２階の非管理区域には、受付８２Ｂ、問診待合室８３、問診室８４、１階と２階を繋ぐ階段８５、同エレベータ８６、被検者用更衣室８等が配置されている。
【００４１】
つまり、第２実施形態のＰＥＴ施設Ｂは、被検者の動線と医療従事者の動線を分離し、かつ、安静室４及び回復室５（待機場所）をホットラボ１０とは別の階に配置した構成をしている。
【００４２】
また、第２実施形態のＰＥＴ施設Ｂは、待機場所３０（安静室４及び回復室５）、複数のＰＥＴカメラ室２、操作室・読影室１、ホットラボ１０を備えると共に、安静室４及び回復室５とホットラボ１０を異なる階に配置した構成でもある。
【００４３】
また、第２実施形態のＰＥＴ施設Ｂは、安静室４及び回復室５と操作室・読影室１との間に、ＰＥＴカメラ室２及び被検者用通路３を配置し、かつ、操作室・読影室１と処置室６とを隣接して配置し、かつ、安静室４及び回復室５とホットラボ１０を異なる階に配置した構成でもある。
【００４４】
さらに、第２実施形態のＰＥＴ施設Ｂは、操作室・読影室１、処置室６、操作室・読影室１と処置室６を結ぶ医療従事者用の通路９１を備えると共に、待機スペース３０とホットラボ１０の間に、少なくともＰＥＴカメラ２１を設置したＰＥＴカメラ室２を配置した構成でもある。
【００４５】
次に、この第２実施形態のＰＥＴ施設Ｂの動作を説明する。
被検者は、１階の入口８１からＰＥＴ施設Ｂに入り、受付８２Ａで受付をして階段８５又はエレベータ８６で２階に向かう。２階の非管理区域に上がってきた被検者は、２階の受付８２Ｂにて登録をした後に問診待合室８３にて問診を待つ。問診室８４にて医師による問診を受けた被検者は、被検者用更衣室８にて検査着に着替える（着替えを行わない場合もある）。ちなみに被検者用更衣室８は、第１実施形態では管理区域内に配置されたが、この第２実施形態では非管理区域内に配置されている。
【００４６】
着替えた被検者は管理区域内に入り、処置室６にて放射性核種を含む放射性薬剤を投与された後、被検者用通路３や安静室４を兼ねる待機スペース３０に移動する。そして、放射性薬剤の体内分布の定常化を図るため、この待機スペース３０にて５０分程度待機する。被検者は、安静待機後、撮影前に安静室４を兼ねる待機スペース３０の手前側に配置された被検者用トイレ７にて排尿し、被検者用通路３を通りＰＥＴカメラ室２に移動して検査を受ける。具体的には、被検者は、３つあるＰＥＴカメラ室２（ＰＥＴカメラ２１）のうち、予め定められたいずれか１つのＰＥＴカメラ室２で写真を撮影される。
【００４７】
撮影後、被検者は被検者用通路３や回復室５を兼ねる待機スペース３０に戻り、投与された放射性核種の減衰を待つため、この回復室５にて６０分程度待機する。なお、回復室５における待機を行わない場合もある。
【００４８】
被検者は、待機スペース３０で待機した後、汚染検査室９を通って管理区域から退出する。着替えは、非管理区域にある被検者用更衣室８にて行う。以上が被検者の動線である。
【００４９】
一方、図３から容易に理解されるように、医療従事者は被検者の介護等の非定常作業を除いて、待機スペース３０に立ち入ることなく、医師による問診、放射性薬剤投与、放射線技師によるＰＥＴカメラ撮影を実施することができる。即ち、上記のレイアウトにすることにより、第１実施形態と同様に、被検者の動線と医療従事者の動線の交錯を防止して、医療従事者の被曝線量を低減すること等が可能となる。
【００５０】
なお、２階の管理区域にいる医療従事者が１階の管理区域に用事があるときは、医療従事者用通路９１、医療従事者用階段２７を通って１階の管理区域に行くことができる。この際、被検者の動線と交錯することがない。ちなみに、１階に降りると直ぐ目の前にホットラボ１０の出入り口があるので２階からホットラボ１０へのアクセスが容易である。また、その逆もいえ、ホットラボ１０から２階へのアクセスも容易である。
【００５１】
図４（ａ）は、１階部分の斜視図（鳥瞰図）であり、図面の手前角の部分が入口８１（図２参照）に、図面の奥の分厚い壁により遮蔽された部屋がサイクロトロン室１３になる。また、図４（ｂ）は、２階部分の斜視図（鳥瞰図）であり、図面の手前角の部屋が問診待合室８３に、奥側に細長い操作室・読影室１と医療従事者用通路９１がある。
【００５２】
ところで、第１実施形態と同様に、放射性薬剤投与後の被検者や検査（撮影）後の被検者を待機させる待機スペース３０（安静室４、回復室５、…）では、ＰＥＴカメラ２１の台数や稼働率に比例して収容人員が増加し、安静室４及び回復室５における線源強度が増大することになる。この線源強度の増大は、医療従事者の被曝線量の増大に繋がる。
【００５３】
しかし、第２実施形態のＰＥＴ施設Ｂでは、図２〜図４に示すように、ホットラボ１０と、被検者待機場所である安静室４、回復室５等を兼ねる待機スペース３０とを別の階に配置している。このように、両者１０，３０を別の階に配置すると、距離が離れると共に壁よりも厚い床で放射線が遮蔽されて減衰するので、ホットラボ１０にいる医療従事者の、被検者からの被曝線量を少なくすることができる。
【００５４】
もちろん、待機スペース３０と医療従事者が常時滞在する操作室・読影室１は少なくともＰＥＴカメラ室２の一辺に相当する距離以上離れている。このため、第１実施形態と同様に、操作室・読影室１で作業する医療従事者の、被検者からの被曝線量を低減することができる。
【００５５】
また、第２実施形態のＰＥＴ施設Ｂでは、図１に示すように、医療従事者が常時滞在する操作室・読影室１と医師が被検者に放射性薬剤を投与する処置室６が隣接しているため、医師の動線を短縮して医師の負担を軽減し、効率のよいＰＥＴ施設Ｂの運用が可能となる。
【００５６】
また、第２実施形態のＰＥＴ施設Ｂでは、放射性薬剤運搬用エレベータ２４を設けてホットラボ１０における合成器、分注器により生成・分注された放射性薬剤を２階の処置室６に搬送することにより、放射性薬剤の動線を最短化している。即ち、シリンジに分注された放射性薬剤は遮蔽容器に入れられて、放射性薬剤運搬用エレベータ２４により処置室６に運搬され、使用後のシリンジは放射性薬剤運搬用エレベータ２４によりホットラボ１０に戻されて、廃棄物保管室１７にて保管される。このように、放射性薬剤の動線を最短化することにより、医療従事者の被曝を低減することができる。
【００５７】
また、第２実施形態では、被検者用トイレ７をＰＥＴカメラ室２と安静室４に隣接して配置している。被検者は安静室４で待機後、被検者用トイレ７で排尿し、ＰＥＴカメラ室２に移動するため、被検者の動線を短縮することが可能になる。被検者の動線を短縮することにより、医療従事者との接触被曝の可能性を低減することができ、かつ被検者の負担を軽減することが可能となる。
【００５８】
また、第２実施形態では、管理区域内に１階と２階とを繋ぐ医療従事者用階段２７を設置しているので、待機中、あるいは検査後の被検者と接近することなく、階を移動することができる。このため、医療従事者の被曝を低減することが可能となる。なお、医療従事者用階段２７をホットラボ１０の外側に設置することにより、医療従事者の階段の昇降によるホットラボ１０の空気清浄度の低下を防止することが可能となる。
【００５９】
つまり、このようなレイアウトを採用することにより、被検者及び医療従事者双方の円滑な動線が確保され、かつ医療従事者の被曝線量が低減されるＰＥＴ施設を提供することができる。また、このようなレイアウトを採用することにより、被曝線量の許容限度を達成するための遮蔽体の厚さを薄くすることが可能であるため、ＰＥＴ施設建設のコストを低減することも可能になる。
【００６０】
≪第３実施形態≫
次に、第３実施形態のＰＥＴ施設を説明する。
図５及び図６は、第３実施形態に係るＰＥＴ施設を示す図であり、建屋面積や敷地面積を削減するために、複数階構造としたＰＥＴ施設の建屋のレイアウトを例示する。このうち、図５はサイクロトロン等重量物が配置される下層階の平面図、図６はＰＥＴカメラが設置される上層階の平面図である。
【００６１】
なお、この第３実施形態は、被検者と医療従事者の動線分離に関しては、概ね第１実施形態に例示した通りであり、安静室４及び回復室５とホットラボ１０の遠隔化に関しては、概ね第２実施形態に例示した通りであるので、説明を省略することとする。その他、第１実施形態及び第２実施形態と共通する部分については、同じ符号を付してその説明を省略することとする。
【００６２】
図５に示すように、第３実施形態のＰＥＴ施設Ｃの下層階（以下「１階」として説明する）にもホットラボ１０が設置されているが、このＰＥＴ施設Ｃでは、ホットラボ１０に医療従事者用階段２７が備えられており、上層階（以下「２階」として説明する）の処置室６と繋がっている。これにより、行き来の回数が多い処置室６へのアクセスが容易になっている。この点が、第２実施形態のＰＥＴ施設Ｂとは異なる。なお、このホットラボ１０には、放射性薬剤運搬用エレベータ２４、合成器２５、分注器２６が設けられている。ちなみに、合成器２５及び分注器２６は、第１実施形態の図１、第２実施形態の図２では記載を省略してあるが、第１実施形態及び第２実施形態でも、これらはホットラボ１０に備えられている。
【００６３】
また、図６に示すように、第３実施形態のＰＥＴ施設Ｃの２階には、ＰＥＴカメラ室２の間に非定常作業用の通路１８を配置している。この通路１８により、３台のＰＥＴカメラが稼動中に安静室４や回復室５で待機中の被検者の介護等が必要となった場合に、至急当該被検者にアクセスすることが可能となる。また、火災発生等の非常時に避難経路として使用することにより被検者を至急退避させ、非常階段２８に誘導することが可能となる。なお、このように非定常作業用の通路１８を設けたＰＥＴ施設Ｃの構成は、請求項の「操作室・読影室と被検者用通路とを結ぶ通路を、複数のＰＥＴカメラ室の間に少なくとも一つ設けた」ＰＥＴ施設の構成に相当する。
【００６４】
ちなみに、図６に示すように、安静室４には被検者が横になることができるベッドが３台備えられており、回復室５には検査を終えた被検者が腰掛けることができる３人掛けのソファが２基備えられている。このようなベッドやソファは、第１実施形態や第２実施形態のＰＥＴ施設Ａ，Ｂの安静室４や回復室５にも備えられている。
【００６５】
次に、この第３実施形態のＰＥＴ施設Ｃの動作を説明する。
被検者は、第２実施形態と同様に、１階の出入口８１からＰＥＴ施設Ｃに入り、受付８２で受付をして階段８５又はエレベータ８６で２階に向かう。２階の非管理区域に上がってきた被検者は、２階の事前説明室８７でＶＴＲにより事前説明を受けた後、問診室８４で医師の問診を受ける。
【００６６】
問診を受けた後、被検者は管理区域に入域して被検者用更衣室８で着替えを行う。その後処置室６にて放射性核種を含む放射性薬剤を投与され、被検者用通路３を通り、安静室４で安静にして待機する。後は第１実施形態と同様である。
【００６７】
一方、医療従事者は、操作室・読影室１からホットラボ１０に向かう場合は、処置室６に入り、処置室６の内部にある医療従事者用階段２７を通っていく。その他の動作は、第２実施形態と同様である。
【００６８】
ところで、この第３実施形態では、安静室４や回復室５等で何かがあれば、操作室・読影室１に常時滞在する医療従事者が、非定常作業用の通路１８を通って安静室４等に行くことができる。この際、ＰＥＴカメラ室２を通る必要がない。また、火災等の場合は、この非定常作業用の通路１８を避難路として利用することができる。
【００６９】
この第３実施形態によれば、第１実施形態や第２実施形態で得られる効果のほか、緊急時等にも対応することができる。また、処置室６とホットラボ１０との医療従事者の往来がより容易になる。
【００７０】
≪第４実施形態≫
次に、第４実施形態のＰＥＴ施設を説明する。
図７は、第４実施形態に係るＰＥＴ施設を示す図であり、処置室とホットラボとが隣接して配置されていない場合の放射性薬剤の搬送構造を例示する。なお、第１実施形態等と共通する部分については、同じ符号を付してその説明を省略することとする。
【００７１】
第４実施形態のＰＥＴ施設Ｄでは、図７に示すように、処置室６とホットラボ１０とが隣接して配置されていない。このため、処置室６とホットラボ１０とを放射性薬剤搬送装置３１で直結し、必要に応じて処置室６とホットラボ１０内に昇降機３２を設置する。ホットラボ１０においてシリンジに分注された放射性薬剤は遮蔽容器３３に入れられて、昇降機３２により、通路を人が通行するのに支障のない高さに設置された放射性薬剤搬送装置３１に上げられる。放射性薬剤搬送装置３１により処置室６に運ばれた遮蔽容器３３は昇降機３２により医療従事者の利便性を考慮した高さまで降ろされる。このような搬送装置を設置することにより、医療従事者が直接運搬するよりも、医療従事者の負担を軽減し、かつ、被曝線量を低減することが可能となる。もちろん、被検者及び医療従事者双方の円滑な動線の確保にも活用でき、もって医療従事者の被検者からの被曝線量の低減に資することができる。なお、搬送用のスペースが充分に確保でき、医療従事者の通行に支障をきたさない場合は、昇降機３２を用いない構成の装置（放射性薬剤搬送装置３１）としてもよい。
【００７２】
ちなみに、処置室６とホットラボ１０とが同一建屋内に配置されているか、別々の建屋内に配置されているかに関わらず、本実施形態の搬送構造を適用することができる。
【００７３】
≪第５実施形態≫
次に、第５実施形態のＰＥＴ施設を説明する。
図８は、第５実施形態に係るＰＥＴ施設を示す図であり、処置室における医療従事者の被曝低減構造を例示する。なお、第１実施形態等と共通する部分については、同じ符号を付してその説明を省略することとする。
【００７４】
第５実施形態のＰＥＴ施設Ｅでは、線源の位置、強度に応じ、図８に示すように、医療従事者の滞在場所３５の周囲にコ字型の鉛や鉛ガラス等からなるガンマ線遮蔽衝立３４が設置してある。
【００７５】
ＰＥＴ施設Ｅの処置室６では、被検者に放射性薬剤を投与する。このため、処置室６では、放射性薬剤を投与された被検者及び放射性薬剤が医療従事者の近傍に存在する。このような状況の下で局所的な線源からの被曝を低減するためには、線源の方向を考慮に入れて、適切な形状のガンマ線遮蔽衝立３４を設置する被曝低減構造（被曝低減方法）が有効である。放射性薬剤の自動注入装置等を使用しながら医療従事者が被検者を観察する必要がある場合には被検者の位置３６の方向を鉛ガラス等としたガンマ線遮蔽衝立３４を設置する。このように、ガンマ線遮蔽衝立３４を設置することにより、建屋全体の壁厚を厚くすることなく、局所的な線源による医療従事者の被曝を低減することが可能となる。なお、ガンマ線遮蔽衝立３４は、平板型、Ｌ型等でもよい。
【００７６】
≪第６実施形態≫
次に、第６実施形態のＰＥＴ施設を説明する。
図９は、第６実施形態に係るＰＥＴ施設を示す図であり、モニタカメラ、スピーカ等を設置し、被検者を誘導する構成を例示する。なお、第１実施形態等と共通する部分については、同じ符号を付してその説明を省略することとする。
【００７７】
第６実施形態では、図９に示すように、ＰＥＴ施設Ｆの被検者用通路３、安静室４、回復室５にそれぞれモニタカメラ４１及びスピーカ４２を設置し、操作室・読影室１にモニタカメラ４１の画像を表示する画面４３及び放送設備４４を設置している。モニタカメラ４１、スピーカ４２、画面４３、放送設備４４は、周知のものを適用することができる。
【００７８】
この第６実施形態のＰＥＴ施設Ｆによれば、例えば第３実施形態のＰＥＴ施設Ｃ（図６参照）で得られる効果のほか、被検者に接近することなく被検者を誘導することが可能となり、医療従事者の放射性薬剤投与後の被検者から受ける被曝線量を低減することが可能となる。また、被検者が通常立ち入るべきでない場所に立ち入ろうとした際にこれを監視して、適切に誘導することができる。そして、医療従事者の不慮の被曝を避けることが可能となる。なお、画面４３や放送設備４４は、ＲＩ管理室（従事者控室）、受付、問診室８４等に設置することもできる。
【００７９】
≪第７実施形態≫
次に、第７実施形態のＰＥＴ施設を説明する。
図１０は、第７実施形態に係るＰＥＴ施設を示す図であり、被検者の動線を床、天井等に表示し、安静室のベッド、ＰＥＴカメラ室、回復室のソファに番号を表示して被検者を誘導する構成を例示する。なお、第１実施形態等と共通する部分については、同じ符号を付してその説明を省略することとする。
【００８０】
第７実施形態では、図１０に示すように、ＰＥＴ施設Ｇには被検者の動線を案内する表示（被検者動線）５１が表示してある。この被検者動線５１は、床や壁に矢印を付したラインを書き込んだり、テープを貼り付けたりすることで表示することができる。また、被検者動線５１は、天井や壁に案内の看板を設けることで表示することができる。また、ＰＥＴ室２の入口、安静室４のベッド、回復室５のソファには、ＰＥＴカメラ室２の数に対応して、丸数字で１〜３番までの番号（識別表示；安静室ベッド番号５２、ＰＥＴカメラ室番号５３、回復室ソファ番号５４）、が付してある。この被検者動線５１や番号５２，５３，５４の意味内容等は、例えば受付８２（図５参照）や問診室８４で知らされるようになっている。
【００８１】
この第７実施形態の場合、ＰＥＴ施設Ｇの２階の非管理区域にある問診室８４で医師の問診を受けた被験者は、被検者動線５１の表示に従って管理区域に入域し、処置室６で放射性薬剤の投与等の処置を受ける。この際、被検者は必要に応じて被検者用更衣室８で着替えを行う。処置室６で放射性薬剤を投与された被検者は、被検者動線５１の表示に従って安静室４に入り、予め指示された安静室ベッド番号５２が表示されたベッドで安静にして待機する。検査（撮影）の時間になると、表示された被検者動線５１に従って安静室４に隣接する被検者用トイレ７で放尿を行い、次いで指示されたＰＥＴカメラ室番号５３が表示されたＰＥＴカメラ室２に入って、ＰＥＴカメラ２１による検査を受ける。検査終了後は、表示された被検者動線５１に従って回復室５に入り、指示された回復室ソファ番号５４が表示されたソファでしばらくの間、投与された放射性薬剤に含まれる核種の崩壊が進行して放射線の強度が減衰するのを待つ（待機する）。回復室５で所定時間待機した後は、表示された被検者動線５１に従って管理区域から退出する。この際、被検者用更衣室８での着替え、汚染検査室９での検査を必要に応じて行う。管理区域から退出した被検者は、エレベータ８６で１階に向かい、受付８２（図５参照）を通ってＰＥＴ施設Ｇをでる。
【００８２】
この第７実施形態のＰＥＴ施設Ｇによれば、例えば第３実施形態のＰＥＴ施設Ｃ（図６参照）で得られる効果のほか、被検者が迷わずに検査を受けることができるようになるという効果も得られる。また、このような被検者用動線５１や安静室ベッド番号５２等は、被検者が直感的に理解できるものであるので、医療従事者の被検者に対する検査手順の説明を省力化することができる。また、第６実施形態と同様に、放射性薬剤投与後の被検者に接近することなく被検者を誘導することが可能となり、医療従事者の被検者から受ける被曝線量を低減することが可能となる。また、被検者が通常立ち入るべきでない場所に誤って立ち入るような事態を防止することができる。
【００８３】
なお、以上説明した本発明は、前記した実施形態に限定されることなく幅広く変形実施することができる。例えば、第１実施形態から第７実施形態を適宜組み合わせて実施するようにしてもよい。また、サイクロトロン等の重量物を設置するのは、ＰＥＴ施設の地階でも１階でも、或いは２階でもよく、特に階を限定するものではない。また、第２実施形態や第３実施形態について、ホットラボを上層階に、安静室や回復室を下層階に配置する構成としてもよい。また、安静室に備えられるベッドの間や回復室に備えられるソファの間にガンマ線遮蔽衝立を置くようにして、被検者が他の被検者から受ける放射線の量を少なくするようにしてもよい。また、ＰＥＴ施設とは、既に記載したように、エミッションＣＴ、即ちＳＰＥＣＴやＰＥＴ等を運用する医療施設であり、ＰＥＴ施設に限定されるものではない。また、ＰＥＴカメラもＳＰＥＣＴ等のエミッションＣＴ用のカメラを含むものである。
【００８４】
【発明の効果】
本発明により、ＰＥＴ施設において被検者の動線と医療従事者の動線を分離することにより、線源である被検者と医療従事者との接近を避け、医療従事者の被曝線量を低減することができる。加えて、ＰＥＴ施設のホットラボにおける医療従事者の被曝を低減することができる。また、動線が交錯することがないので、被検者及び医療従事者双方の円滑な動線が確保され、かつ医療従事者の被曝線量が低減される。
【図面の簡単な説明】
【図１】本発明の第１実施形態に係るＰＥＴ施設を示す図であり、ＰＥＴカメラを３台設置した平屋構造のＰＥＴ施設の建屋レイアウトを例示する。
【図２】本発明の第２実施形態に係るＰＥＴ施設を示す図であり、建屋面積や敷地面積を削減するために、複数階構造としたＰＥＴ施設のサイクロトロン等重量物が配置される下層階のレイアウトを例示する。
【図３】本発明の第２実施形態に係るＰＥＴ施設を示す図であり、建屋面積や敷地面積を削減するために、複数階構造としたＰＥＴ施設のＰＥＴカメラが設置される上層階のレイアウトを例示する。
【図４】図２及び図３の平面図を鳥瞰図で示した図であり、（ａ）は下層階を、（ｂ）は上層階を示す。
【図５】本発明の第３実施形態に係るＰＥＴ施設を示す図であり、建屋面積や敷地面積を削減するために、複数階構造としたＰＥＴ施設のサイクロトロン等重量物が配置される下層階のレイアウトを例示する。
【図６】本発明の第３実施形態に係るＰＥＴ施設を示す図であり、建屋面積や敷地面積を削減するために、複数階構造としたＰＥＴ施設のＰＥＴカメラが設置される上層階のレイアウトを例示する。
【図７】本発明の第４実施形態に係るＰＥＴ施設を示す図であり、処置室とホットラボとが隣接して配置されていない場合の放射性薬剤の搬送構造を例示する。
【図８】本発明の第５実施形態に係るＰＥＴ施設を示す図であり、処置室における医療従事者の被曝低減構造を例示する。
【図９】本発明の第６実施形態に係るＰＥＴ施設を示す図であり、モニタカメラ、スピーカ等を設置し、被検者を誘導する構成を例示する。
【図１０】本発明の第７実施形態に係るＰＥＴ施設を示す図であり、被検者の動線を床、天井等に表示し、安静室のベッド、ＰＥＴカメラ室、回復室のソファに番号を表示して被検者を誘導する構成を例示する。
【符号の説明】
１…操作室・読影室、２…ＰＥＴカメラ室、３…被検者用通路、４…安静室、５…回復室、６…処置室、７…被検者用トイレ、８…被検者用更衣室、９…汚染検査室、１０…ホットラボ、１１…放射性薬剤検定室、１２…血液検査室、１３…サイクロトロン室、１４…電源機械室、１５…空調廃水処理室、１７…ＲＩ保管室、２１…ＰＥＴカメラ、２２…コンソール、２３…サイクロトロン、２４…放射性薬剤運搬用エレベータ、２５…合成器、２６…分注器、２７…医療従事者用階段、２８…非常階段、３１…放射性薬剤搬送装置、３２…昇降装置、３３…遮蔽容器、３４…ガンマ線遮蔽衝立、３５…医療従事者の滞在場所、３６…被検者の位置、４１…モニタカメラ、４２…スピーカ、４３…モニタカメラの画面、４４…放送設備、５１…被検者動線、５２…安静室ベッド番号、５３…ＰＥＴカメラ室番号、５４…回復室ソファ番号
【図１】
2004108996.tif 000003
【図２】
2004108996.tif 000004
【図３】
2004108996.tif 000005
【図４】
2004108996.tif 000006
【図５】
2004108996.tif 000007
【図６】
2004108996.tif 000008
【図７】
2004108996.tif 000009
【図８】
2004108996.tif 000010
【図９】
2004108996.tif 000011
【図１０】
2004108996.tif 000012